(57)【要約】本発明は一体式エアコンを対象とする。コンプッレサー（１）、室内機熱交換器（２）、膨張弁（３）、室外機（４）及び循環回路（５）を含めている。エアコンは一体化して壁の中に埋込まれて、室内熱交換器（２）の熱交換口（２１）は室内に向き、室外熱交換器（４）の熱交換口（４１）は室外に向いている。本発明は建物と一体化になり、接続配管が不要になるとともに、冷媒の漏れも効率的に防止できる。
2006526127.tif 000002
【特許請求の範囲】
【請求項１】
一体式エアコンであって、内部に少なくともコンプレッサー（１）、室内熱交換器（２）、膨張弁（３）、室外熱交換器（４）及び各部品を接続する循環回路（５）を含み、一体化されて壁の中に埋め込まれ、室内熱交換器（２）の熱交換口（２１）が室内に向き、室内空気と熱を交換し、室外熱交換器（４）の熱交換口（４１）が室外に向き、室外空気と熱を交換することを特徴とする一体式エアコン。
【請求項２】
窓と一体に設置され、一体式壁埋込型エアコンを構成することを特徴とする請求項１記載の一体式エアコン。
【請求項３】
室内熱交換器（２）を窓の上側の窓枠と一体に設置し、室外熱交換器（４）を窓の下側の窓枠と一体に設置することを特徴とする請求項２記載の一体式エアコン。
【請求項４】
循環回路（５）を窓枠の枠内に設置することを特徴とする請求項２または３記載の一体式エアコン。
【請求項５】
室内熱交換器（２）の室外へ向く側に新鮮空気の入口（２８）を設置することを特徴とする請求項１から４のいずれか１つに記載の一体式エアコン。
【請求項６】
室外熱交換器（４）とコンプレッサー（１）の室内へ向く側に防音装置を設置することを特徴とする請求項１から５のいずれか１つに記載の一体式エアコン。
【請求項７】
室内の壁と一体化するために、エアコンの室内熱交換器（２）の熱交換口（２１）を室内の壁と同一の平面に設置することを特徴とする請求項１から６のいずれか１つに記載の一体式エアコン。
【請求項８】
室外熱交換器（４）の熱交換口（４１）を室外の壁と同一の平面に設置することを特徴とする請求項１から７のいずれか１つに記載の一体式エアコン。
【請求項９】
窓と一体化するために、エアコンの室内熱交換器（２）の外殻の、室外へ向く側のカバーをガラスで造ることを特徴とする請求項１から８のいずれか１つに記載の一体式エアコン。
【発明の詳細な説明】
【技術分野】
【０００１】
本発明はエアコンシステムを対象とする一体式エアコンに関する。
【背景技術】
【０００２】
パッケージエアコンと壁埋込形エアコンは室内温度を調節する常用的な空調機である。既存のパッケージエアコンと壁埋込形エアコンは構造の面においても、使用上においても不十分なところがある。パッケージエアコンの欠陥として、主に下記の通りである、
（１）室外機は建物の整った外観を崩し、壁の一体感と調和性にも影響を与える。修理の時、不便や危険をもたらす一因でもある。
（２）室外機はネジでスチールフレームに固定され、錆びがち故に大風には弱い。
（３）室内機と室外機は銅管パイプで接続されている。それで、エアコンの取り付けが難しくなり、業者の技術に対する要求が厳しい。また、取り付けの時、銅管パイプがネジで固定されることが多いので、冷媒漏れが多発になり、ガスの充填もエアコンの長持ちに障る。
（４）室内機と室外機を接続する銅管パイプ、壁に掛けてある室内機も部屋の美観を損ない、内装にも影響する。
（５）室内機には空気のリフレッシュ装置が無く、空気の新鮮さが保証できない。室内に長く滞在すると、病気にかかりやすい。
壁埋込形エアコンの方では、室内機と室外機が一体化され、銅管パイプの取り付けの不足を克服したが、欠陥が下記の通りである、
（１）騒音が大きくて、静かな室内環境の形成に妨害する。
（２）エアコンの一部が壁から露出するので、三角形のフレームが必要となり、建物の美観を損なう。
（３）エアコンの室内にある部分も、内装にそぐわない場合があり、室内の美観を損なう。
従って、既存のエアコンの上述した欠陥を克服できる、新型のものを開発する必要性が認められる。
【発明の開示】
【０００３】
本発明は、既存のパッケージエアコンと壁埋込形エアコンの取付け及び使用上の上述した欠点を克服し、建物との調和感を重んじ、冷媒漏れを避けようと銅管パイプの接続を無くすことを目的とする。
なお、本発明はエアコンの一体化によって、室内温度を調節するとともに、常に室外空気との効率的な交換の達成も目的とする。
本発明は下記の技術方案によって、目的を達成したのである。一体式エアコンには、コンプッレサー、室内熱交換器、膨張弁、室外熱交換器及び各部品を接続する循環回路が含められている。其の特徴としては、空調機は一体化して壁の中に埋込まれて、室内機の熱交換口は室内に向き、室外機の熱交換口は室外に向くことにある。
上述のエアコンは窓と一体化するように設置することができ、エアコン付けの窓になり得る。
上述のエアコンの室内熱交換器が上側の窓枠、室外熱交換器が下側の窓枠と一体化するように設置ことができる。
本発明は循環回路を窓枠の内に設置し、窓枠を通して各部品と接続できるようになっている。
本発明の室内熱交換器の室外へ向く側に新鮮空気の入口が設けてある。
本発明の室外熱交換器とコンプッレサーの室内に向く側に防音装置があり、エアコンが運転する時に立てた騒音を室内に及ぼさないように工夫されている。
本発明の室内熱交換器の熱交換口が室内の壁と一体化になり、部屋の内装及び美観に影響を与えないように設計されている。それとともに、室外熱交換器の熱交換口も室外の壁と同一の平面にあり、壁との調和性が高められている。
上述の室内熱交換器の外殻の、室外へ向く側のカバーはガラスを材料として採用し、窓との一体感を際立たせる。
【０００４】
本発明の効果が顕著である。まず、本発明の一体式エアコンは建物の壁の中に埋込まれて、まさしく建物と一体になる。本発明のエアコンは工場で作り上げてから、建物壁の中に取り付けてしまい、室外に設置する部分がないので、配管の接続問題も避けられる。そこで、エアコンの取り付け工事が展開しやすくなり、冷媒漏れも有効的に防ぐことができる。エアコンを長持ちさせるのにも役が立つ。本発明のエアコンには室外機が付いていないから、室外環境に影響されることが少なくなり、使用の安全性が高められている。
その二、本発明の一体式エアコンは壁の中に埋め込まれて、室内外ともに取り付けの場所が不要となり、建物の内装と美観には影響がない。
その三、本発明のエアコンの室内熱交換器の室外に向く側に、新鮮空気の入口が設置され、それを通して室内外の風通しを改善する。エアコンの運転によって室内温度を調節するとともに、フレッシュな空気をも提供する。
なお、本発明の室外熱交換器とコンプッレサーの室内に向く側に防音装置があり、エアコンが運転する時に立てた騒音を吸収し、室内への影響を最大限に抑える。
それから、本発明のエアコンは窓と一体化に設置することができ、建物にある窓の内装を行うとき、既にエアコンを壁の中に埋め込むことができる。取り付けや修理が容易くできるだけではなく、スペースの節約、調和感も優れである。
総じていえば、本発明の一体式エアコンは、新しいデザインによって、一体化の製作と取り付けを果たし、既存のパッケージエアコンと壁埋込形エアコンの欠点を克服することができた。本発明のエアコンはより使いやすい、より素敵な新型エアコンである。
【０００５】
（図面の簡単な説明）
図１は、壁の中に埋め込まれている本発明の構造説明図である。
図２は、窓と一体化して、壁の中に埋め込まれている本発明の構造説明図である。
図３は、本発明の図２の外側正投影図である。
図４は、本発明のエアコンの運転原理図である。
【発明を実施するための最良の形態】
【０００６】
図１−４が示したとおり、本発明の一体式エアコンには、少なくともコンプッレサー１、室内熱交換器２、膨張弁３、室外熱交換器４及び各部品を接続する循環回路５が含められている。その運転原理、プロセスが既存のエアコンと同じなので、ここで詳しい説明を省くとする。本発明の主な特徴として、エアコンが一体化されて壁６の中に埋め込まれ、室内熱交換器２の熱交換口２１が室内に向き、室内空気と熱を交換し、室外熱交換器４の熱交換口４１が室外に向き、室外空気と熱を交換することにある。すると、本発明のエアコンは建物と一体になる。工場でエアコンを一体式に作り上げてから、建物壁の中に取り付けてしまい、配管の接続問題も避けられる。そこで、エアコンの取り付け工事が展開しやすくなるとともに、循環回路５の中に満たしてある冷媒の漏れも有効的に防ぐことができるようになり、エアコンの長持ちには役立てる。なお、本発明のエアコンには室外機が付いていないから、室外環境に影響されることが少なくなり、使用の安全性が高められている。それに、本発明の一体式エアコンは壁の中に埋め込まれて、室内外ともに取り付けの場所が不要となり、建物の内装と美観には影響がない。
本発明は、図１が示したとおり、実施方式として、本発明のエアコが一体式に作り上げられて壁６の中に埋め込まれ、壁と一体になり、既存のパッケージエアコンと壁埋込形エアコンの欠点を克服することができる。
【０００７】
また、図２が示したとおり、本発明においては実施方式として、エアコンを窓７と一体に設置するによって、エアコン付けの窓が作り上げられる。建物の窓７の内装を行うとき、既にエアコンを壁６の中に取り付けることができる。簡単に取り付けが行い得るだけではなく、スペースの節約や調和感においても優れである。
なお、図２の示したとおり、上述のエアコンの室内熱交換器２を窓７１と一体に設置し、室外熱交換器４を窓７の下側の窓枠７と一体に設置することができる。本発明のエアコン付けの窓７を製作する時は、室内熱交換器２の外殻２２を上側の窓枠７１と一体に設置してから、室内熱交換器２のアルミのフィン２３と室内ファン２４を外殻２２の中に入れておくことによって、室内熱交換器２と窓７が一体化される。室内熱交換器２の外殻２２の室内に向くパネル２５には、既存のエアコン室内機と同じく熱交換口２１が設けてあり、中にはエアフィルターが付けられていて、その下側にエアコンの吹き出した風を制御する翼板２６がある。また、既存のエアコンと同様のコントロールパネル２７を設置することによって、エアコンの運転モードや運転状況を把握する。詳しく説明するのを省くとする。なお、窓７を製作する時、室外熱交換器４の外殻４２を下側の窓枠７２と一体に設置し、室外熱交換器４のアルミのフィン４３と室外ファン４４を外殻４２の中に入れておくことによって、室外熱交換器４と窓７が一体になる。図２の示したとおり、エアコンシステムを構成したコンプッレサー１、膨張弁３、循環回路５も窓７の窓枠と一体に設置することができ、一体式壁埋込形エアコンが作り上げられる。
具体的な実施方式として、図２の示したとおり、コンプッレサー１は室外熱交換器４と、窓７の下側の窓枠７２と一体に設置し、室内熱交換器２、循環回路５と、縦側の窓枠７３の枠内に設置することができる。熱交換によってもたされた冷媒の熱損失を減少するために、既存のエアコンと同様に全ての循環回路５の外側に保温装置が付けてある。
図３が示したとおり、本発明においては、室内熱交換器２の室外へ向く側に、新鮮空気の入口２８を設置することができる。エアコンの運転によって室内温度を調節する同時に、必要に応じて入口２８をオープンすることができる。それを通して室外からフレッシュな空気が室内熱交換器２の外殻２２の中に入り、室内熱交換器２のアルミのフィン２３と熱交換を行ってから、室内に吹く込むようになっている。室内の空気状態を良くするだけではなく、室外から入ってくるその空気は室内熱交換器２によって熱交換や除湿が施されて、既存のパッケージエアコンが常に閉鎖されている空間で運転する欠陥を克服することができる。
【０００８】
更に、本発明は、室外熱交換器とコンプッレサー１の室内へ向く側に、防音装置を付けることができるようになっている（図には示されていない）。それによって、エアコンが運転する時に立てた騒音を吸収し、室内への影響を抑えようと良き防音効果を発揮する。
図２が示したとおり、本発明の室内熱交換器２の熱交換口２１は、室内の壁６１と同一の平面に設けることができる。壁と一体化されて、部屋の内装、美観には影響を及ぼすことにならない。また、図３が示したとおり、室外熱交換器４の熱交換口４１も同じように室外の壁６２と同一の平面に設けることができる。すると、本発明と壁６の調和感が際たたせられるようになる。本発明において、上述の同一の平面にすることは、幾何学の基準ほど厳しくはなく、内装基準の同一平面で良いから、多少誤差があっても上述の効果には変わりがない。そして、窓７との調和を求めるために、室内熱交換器２の外殻２１の室外へ向く側のカバーがガラス板で造ることになっている。
本発明のエアコンは、外殻２２と外殻２３のパネルが既存のエアコンと同じく、便利に組み立てることができるように設けられている。故障の場合、容易く取り外して修理することができる。
本発明のエアコンは、冷房型、または冷・暖房型にすることができる。部品の詳しい構造、及び運転原理、プロセスなどは全て既存のエアコンと同様になっているので、ここで詳しく説明することを省くとする。
上述したのは、本発明の具体的な実施例である。本発明を説明するために述べたものであり、本発明を制限するものではない。
【図面の簡単な説明】
【０００９】
【図１】壁の中に埋め込まれている本発明の構造説明図である。
【図２】窓と一体化して、壁の中に埋め込まれている本発明の構造説明図である。
【図３】本発明の図２の外側正投影図である。
【図４】本発明のエアコンの運転原理図である。
【符号の説明】
【００１０】
１  コンプレッサー    ２  室内熱交換器    ３  膨張弁    ４  室外熱交換器
５  循環回路    ６  壁    ７  窓    ２１  熱交換口    ２２  外殻
２３  アルミのフィン    ２４  室内ファン    ２５  パネル
２７  コントロールパネル    ２８  新鮮空気の入口    ４１  熱交換口
４２  外殻    ４３  アルミのフィン    ４４  室外ファン    ６１  室内の壁
６２  室外の壁    ７１  窓    ７２  窓枠
【図１】
2006526127.tif 000003
【図２】
2006526127.tif 000004
【図３】
2006526127.tif 000005
【図４】
2006526127.tif 000006
【手続補正書】
【提出日】平成18年5月15日(2006.5.15)
【手続補正１】
【補正対象書類名】特許請求の範囲
【補正対象項目名】全文
【補正方法】変更
【補正の内容】
【特許請求の範囲】
【請求項１】
一体式エアコンであって、内部に少なくともコンプレッサー（１）、室内熱交換器（２）、膨張弁（３）、室外熱交換器（４）及び各部品を接続する循環回路（５）を含み、一体化されて壁の中に埋め込まれ、
窓と一体に設置され、一体式壁埋込型エアコンを構成し、
前記室内熱交換器（２）を窓の上側の窓枠と一体に設置し、
前記室外熱交換器（４）を窓の下側の窓枠と一体に設置し、
前記室内熱交換器（２）の熱交換口が室内に向き、室内空気と熱を交換し、
前記室外熱交換器（４）の熱交換口が室外に向き、室外空気と熱を交換することを特徴とする一体式エアコン。
【請求項２】
前記循環回路（５）を窓枠の枠内に設置することを特徴とする請求項１記載の一体式エアコン。
【請求項３】
前記室内熱交換器（２）の室外へ向く側に新鮮空気の入口を設置することを特徴とする請求項１または２に記載の一体式エアコン。
【請求項４】
前記室外熱交換器（４）と前記コンプレッサー（１）の室内へ向く側に防音装置を設置することを特徴とする請求項１から３のいずれか１つに記載の一体式エアコン。
【請求項５】
室内の壁と一体化するために、前記室内熱交換器（２）の熱交換口を室内の壁と同一の平面に設置することを特徴とする請求項１から４のいずれか１つに記載の一体式エアコン。
【請求項６】
前記室外熱交換器（４）の熱交換口を室外の壁と同一の平面に設置することを特徴とする請求項１から５のいずれか１つに記載の一体式エアコン。
【請求項７】
窓と一体化するために、前記室内熱交換器（２）の外殻の、室外へ向く側のカバーをガラスで造ることを特徴とする請求項１から６のいずれか１つに記載の一体式エアコン。
【国際調査報告】
2006526127.tif 000007
2006526127.tif 000008
2006526127.tif 000009
2006526127.tif 000010